(57)【要約】【課題】構築する煉瓦ブロックが大型化しても、据付精度に個人差が生じ難いコークス炉の築造方法および築造装置を提供する。【解決手段】既設煉瓦上１０３に、モルタル９１を介して、複数の煉瓦を組み合わせた煉瓦ブロック１００を設置する工程を有する、コークス炉の築造方法であって、既設煉瓦１０３にモルタル９１を塗布する塗布工程と、モルタル上に煉瓦ブロック１００を設置する、設置工程と、を実施し、設置工程は、煉瓦ブロック１００を、１対の把持部を有するトングで炉団長方向に挟んで持ち上げ、把持部から下方に突出したガイド部５を設け、煉瓦ブロック１００を挟んだ状態で既設煉瓦１０３の炉団長方向の幅に対応する間隔で対向する、少なくとも一対のガイド部５の間に既設煉瓦１０３を挟むように位置合わせをして、モルタル９１上に煉瓦ブロック１００を設置する工程であることを特徴とする、コークス炉の築造方法。【選択図】図１０
2019163351.tif 000002
【特許請求の範囲】
【請求項１】
複数の耐火物からなる既設煉瓦上に、モルタルを介して、煉瓦ブロックを積み重ねて構築する工程を有する、コークス炉の築造方法であって、
前記既設煉瓦にモルタルを塗布する塗布工程と、
前記モルタル上に前記煉瓦ブロックを設置する、設置工程と、
を実施し、
前記設置工程は、
前記煉瓦ブロックを、１対の把持部を有するコークス炉の築造装置で炉団長方向に挟んで持ち上げ、
前記把持部から下方に突出した突起であり、前記煉瓦ブロックを挟んだ状態で、炉長方向から見て、前記既設煉瓦の炉団長方向の幅に対応する間隔で対向する、少なくとも一対のガイド部の間に前記既設煉瓦を挟むように位置合わせをして、
前記モルタル上に前記煉瓦ブロックを設置する工程であることを特徴とする、コークス炉の築造方法。
【請求項２】
蓄熱室のピラーウォールを構築する工程に用いられることを特徴とする、請求項１に記載のコークス炉の築造方法。
【請求項３】
燃焼室を構築する工程に用いられることを特徴とする、請求項１に記載のコークス炉の築造方法。
【請求項４】
前記煉瓦ブロックは、複数の煉瓦を多段に積み重ねたプレハブ構造であることを特徴とする、請求項１から請求項３までのいずれか一項に記載のコークス炉の築造方法。
【請求項５】
コークス炉を構成する、煉瓦ブロックを持ち上げて設置するコークス炉の築造装置であって、
前記煉瓦ブロックの両側面を挟み込んで保持する一対の把持部と、
前記一対の把持部の下方に突出して設けられ、設置の際に前記既設煉瓦に接触して位置決めを行う少なくとも一対のガイド部と、
を備えることを特徴とするコークス炉の築造装置。
【請求項６】
前記ガイド部を脱着可能に前記把持部に固定する脱着機構を備えることを特徴とする、請求項５に記載のコークス炉の築造装置。
【請求項７】
前記ガイド部を炉団長方向に移動可能に前記把持部に保持する保持機構と、
前記ガイド部の炉団長方向の位置決めを行う位置決め機構を備えることを特徴とする。請求項５または請求項６に記載のコークス炉の築造装置。
【発明の詳細な説明】
【技術分野】
【０００１】
本発明は、コークス炉の築造方法およびコークス炉の築造装置に関する。
【背景技術】
【０００２】
室炉式コークス炉は、炭化室と燃焼室とが炉団長方向（炉幅方向）に交互に配置され、炭化室と燃焼室の上部には炉頂部、下部には蓄熱室が配列されている。燃焼室と蓄熱室との間の部分は蛇腹部とも呼ばれる。蓄熱室の下部にはソールフリューが配置される。通常、炭化室の寸法は、炉高４〜７．５ｍ、炉幅３５０〜５５０ｍｍ、炉長１３〜１７ｍである。燃焼室は炉長方向に配列された燃焼室フリュー列からなる。炭化室と燃焼室との隔壁および燃焼室フリュー同士の隔壁、炉頂部、蛇腹部、蓄熱室、ソールフリューは、いずれも耐火物煉瓦の煉瓦積み構造で形成される。例えば、炭化室を５０室有する室炉式コークス炉（以下単に「コークス炉」という。）においては、上記耐火物煉瓦を合計で１３０万個用いて構成されている。
【０００３】
既存のコークス炉は、現在、全国的に、２０年〜３０年の稼働期間を経て老朽化してきており、新たなコークス炉を建設する必要が迫っている。
【０００４】
コークス炉の建設は、従来、築炉工が耐火物煉瓦を手積みすることで行っている。手積みによる建設では、耐火物煉瓦の一つ一つにコテでモルタルを塗り、前後左右に往復させつつ押し込み（揉み作業）、余分なモルタルを目地から押し出してこれを積み上げるという作業を繰り返し行う必要がある。さらに、コークス炉に使用される耐火物煉瓦は、一つあたり十数ｋｇの重さがあり、これを積み上げる作業は極めて重労働といえる。
【０００５】
また、コークス炉は、様々な形状、大きさの多種類の耐火物煉瓦を複雑に組み合わせる必要があり、据付精度については、±２ｍｍ以内に抑える必要がある。そのためには、熟練した築炉工が大人数必要であるが、熟練した築炉工は高齢化し、大人数を確保することが難しくなっている。
【０００６】
このような事情に対し、工期短縮による必要な築炉工の人数削減を目的とし、予め、築炉現場から離れた作業しやすい広い場所で、複数の耐火物煉瓦を所定の大きさまで積み上げてモルタルにより一体化したブロック（以下煉瓦ブロックと称す）とし、この煉瓦ブロックを築炉現場で組み込んでコークス炉を積み上げる、プレハブ工法が公知である（特許文献１）。
【０００７】
特許文献１のような、プレハブ工法を用いることにより、築炉現場で積み上げるブロック数が減少し、狭い築炉現場での作業が短縮されるため、作業効率が良くなり、築炉期間が短くなるとされている。
【０００８】
一方で、プレハブ工法で用いる煉瓦ブロックは、耐火物煉瓦単体よりも質量と寸法が、はるかに大きい。例えば特許文献１では、煉瓦ブロックの炉長方向長さが炉長の１／４以上、２／３以下であるため、同文献で想定する炉長１５ｍに対して、煉瓦ブロック長が４〜１０ｍに達する。
そのため、人力のみでは煉瓦ブロックを築炉現場で組み込むことができず、トング等の築造装置で煉瓦ブロックを挟んでクレーンで吊り上げてから積み上げる必要がある（特許文献２）。
特許文献２では、トングの下端部に押さえ具を設け、煉瓦ブロックを吊り上げた状態での滑落を防止するとともに、押さえ具をスペーサとして使用し、炉高方向の位置決めをすることも記載されている。
【先行技術文献】
【特許文献】
【０００９】
【特許文献１】特許第６００８０７１号公報
【特許文献２】特開２０１６−１６９３７６号公報
【発明の概要】
【発明が解決しようとする課題】
【００１０】
コークス炉の煉瓦構築に際し、耐火物煉瓦をコークス炉内において手積み方式で構築することに比較し、炉外においてプレハブ方式によって煉瓦ブロックを形成することにより、熟練した築炉工の必要人数を多少は低減することができる。
【００１１】
しかしながら、煉瓦ブロックは、特許文献１に記載のように、耐火物煉瓦単体よりも大きい。そのため、釣り上げた状態での揺れや、煉瓦ブロックの寸法公差、揉み作業が原因で、手積み方式と比べて、据え付けの際に位置ずれを生じやすく、据付精度の確保が難しい。特に、特許文献１のように煉瓦ブロックは炉団長方向よりも炉長方向に長い形状であることが多いため、水平方向に回転する等して、炉団長方向の位置ずれを生じやすい。
【００１２】
位置ずれの修正に時間をかけすぎるとモルタルが硬化するため、位置決めは短時間で行う必要があるが、位置決めに要する時間は作業者の技量に依存する。
しかしながら、特許文献１には、煉瓦ブロックの位置ずれを防ぐ構成や工法が全く開示されていない。
特許文献２の構造では、押さえ具をスペーサとすることで、炉高方向の位置ずれを防ぐことができるが、炉団長方向の位置ずれを防ぐ構成や工法が全く開示されていない。
そのため、据付精度に個人差が生じ、結局は熟練した築炉工が必要となっていた。
【００１３】
本発明は上記課題に鑑みてなされたものであり、構築する煉瓦ブロックが大型化しても、据付精度に個人差が生じ難いコークス炉の築造方法およびコークス炉の築造装置を提供することを目的とする。
【課題を解決するための手段】
【００１４】
本発明のコークス炉の築造方法は、複数の耐火物からなる既設煉瓦上に、モルタルを介して、煉瓦ブロックを積み重ねて構築する工程を有する、コークス炉の築造方法であって、前記既設煉瓦にモルタルを塗布する塗布工程と、前記モルタル上に前記煉瓦ブロックを設置する、設置工程と、を実施し、前記設置工程は、前記煉瓦ブロックを、１対の把持部を有するコークス炉の築造装置で炉団長方向に挟んで持ち上げ、前記把持部から下方に突出した突起であり、前記煉瓦ブロックを挟んだ状態で、炉長方向から見て、前記既設煉瓦の炉団長方向の幅に対応する間隔で対向する、少なくとも一対のガイド部の間に前記既設煉瓦を挟むように位置合わせをして、前記モルタル上に前記煉瓦ブロックを設置する工程であることを特徴とする。
【００１５】
本発明では、煉瓦ブロックを築造装置の把持部で挟んで持ち上げてから、把持部から突出した一対の突起の間に既設煉瓦が位置するように位置決めをする。
そのため、煉瓦ブロックを把持部に挟んで既設煉瓦の上方に配置して下降させれば、把持部が突起にガイドされて、煉瓦ブロックの位置が容易に決められ、構築する煉瓦ブロックが大型化しても、据付精度に個人差が生じ難い。
【００１６】
本発明のコークス炉の築造方法は、蓄熱室のピラーウォールを構築する工程に用いられることが好ましい。
この発明によれば、蓄熱室のピラーウォールの構築用に、炉団長方向よりも炉長方向に長い形状で煉瓦壁ブロックを用いる場合であっても、炉団長方向の位置決めで個人差が生じ難い。
【００１７】
本発明のコークス炉の築造方法は、燃焼室を構築する工程に用いられることが好ましい。
この発明によれば、燃焼室の構築用に、炉団長方向よりも炉長方向に長い形状で煉瓦壁ブロックを用いる場合であっても、炉団長方向の位置決めで個人差が生じ難い。
【００１８】
前記煉瓦ブロックは、複数の煉瓦を多段に積み重ねたプレハブ構造であるのが好ましい。
この発明によれば、コークス炉の築造に煉瓦単体よりも質量と寸法が、はるかに大きいプレハブ構造を用いる場合であっても、位置決めで個人差が生じ難い。
【００１９】
本発明のコークス炉の築造装置は、コークス炉を構成する、煉瓦ブロックを持ち上げて設置するコークス炉の築造装置であって、前記煉瓦ブロックの両側面を挟み込んで保持する一対の把持部と、前記一対の把持部の下方に突出して設けられ、設置の際に前記既設煉瓦に接触して位置決めを行う少なくとも一対のガイド部と、を備えることを特徴とする。
【００２０】
本発明では、コークス炉の築造装置が、把持部の下方に突出して設けられた少なくとも１対のガイド部を有しており、煉瓦ブロックを把持部で挟んで持ち上げてから、把持部から突出した一対の突起の間に既設煉瓦が位置するように位置決めをする。
そのため、煉瓦ブロックを把持部に挟んで既設煉瓦の上方に配置して下降させれば、把持部が突起にガイドされて、煉瓦ブロックの位置が容易に決められ、構築する煉瓦ブロックが大型化しても、据付精度に個人差が生じ難い。
【００２１】
本発明のコークス炉の築造方法は、前記ガイド部を脱着可能に前記把持部に固定する脱着機構を備えることが好ましい。
この発明によれば、コークス炉の築造装置を使用しない時にガイド部を取り外して、建築現場に仮置きすることができる。そのため、ガイド部を取り付けて仮置きする場合と比べて、築造装置を支持する底面積を大きくすることができ、仮置時の安定性を高められる。
【００２２】
本発明のコークス炉の築造方法は、前記ガイド部を炉団長方向に移動可能に前記把持部に保持する保持機構と、前記ガイド部の炉団長方向の位置決めを行う位置決め機構を備えることが好ましい。
この発明によれば、ガイド部を炉団長方向に移動させられるため、２段、３段と煉瓦ブロック１００を積み重ねた場合に、ガイド部と既設煉瓦の間の隙間によって生じる、煉瓦ブロックの炉団長方向のずれに対応してガイド部の位置を調整でき、ずれが許容値を超えるのを防ぐことができる。
【図面の簡単な説明】
【００２３】
【図１】本発明の第１および第２の実施形態に係るコークス炉の築造方法に用いられるトングを示す斜視図。
【図２】図１の正面図。
【図３】図１の右側面図。
【図４】図１の平面図。
【図５】図３の変形例を示す図。
【図６】図２の変形例を示す図。
【図７】本発明の第１実施形態に係るコークス炉の築造方法を示す図であって、煉瓦ブロックの斜視図。
【図８】本発明の第１の実施形態に係るコークス炉の築造方法を示す正面図。
【図９】本発明の第１の実施形態に係るコークス炉の築造方法を示す正面図。
【図１０】本発明の第１の実施形態に係るコークス炉の築造方法を示す正面図。
【図１１】本発明の第１の実施形態に係るコークス炉の築造方法を示す右側面図。
【図１２】本発明の第２の実施形態に係るコークス炉の築造方法を示す図であって、煉瓦ブロックの斜視図。
【発明を実施するための形態】
【００２４】
以下、図面に基づき本発明に好適な実施形態を詳細に説明する。
まず、図１〜図６を参照して、本発明のコークス炉の築造方法に用いられる、コークス炉の築造装置としてのトングの構造について、簡単に説明する。
【００２５】
図１〜図４に示すように、トング１は、把持部３と、ガイド部５と、パンタグラフ１３を備える。
図１〜図４においては、把持部３の長手方向をＹ方向、Ｙ方向に直交し、把持部３が把持対象を把持する方向をＸ方向、Ｘ方向およびＹ方向に直交する方向をＺ方向とする。Ｘ方向、Ｙ方向、Ｚ方向は、コークス炉において炉団長方向、炉長方向、炉高方向にもそれぞれ対応する。
【００２６】
把持部３は、煉瓦ブロック１００の両側面を挟み込んで保持する部材であり、図１に示すように、接触板７、支柱９、梁１１、筒状支持部１４、スライド部１８を備える。
【００２７】
図１に示すように、接触板７は、互いに平行に設けられた一対の平板であり、煉瓦ブロック１００の両側面、ここでは法線方向が炉団長方向に平行な面を挟み込んで保持する。
【００２８】
図１に示すように、支柱９は、接触板７を保持する角柱状の一対の部材であり、接触板７の外側面から鉛直方向に立ち上がるように溶接等で連結される。
【００２９】
図１に示すように、梁１１は支柱９を保持する角柱状の部材であり、支柱９を連結するように溶接等で固定される。
図１に示すように、筒状支持部１４は、支柱９の対向面から、他方の支柱９に向けて伸びる角筒状の部材である。スライド部１８は、一端が筒状支持部１４内に収容され、他端が他方の支柱９に固定される部材である。
【００３０】
パンタグラフ１３は、上下に伸縮することにより、左右の幅を変えて接触板７間の距離を調整することにより、煉瓦ブロック１００を保持する部材であり、図１および図２に示すように、下部リンク１５と、上部リンク１６と、クレーン連結部１９を備える。
下部リンク１５は、複数のアーム１５Ａを、互いに交差した状態で中央を軸支したものである。アーム１５Ａの下端１６Ａは梁１１に固定される。軸方向はいずれも接触板７の長手方向に平行である。
上部リンク１６は、複数のアーム１５Ｂを有する。アーム１５Ｂは、一端がアーム１５Ａの上端１８Ａに軸支され、他端がクレーン連結部１９に軸支される。
クレーン連結部１９は、トング１を吊り上げるクレーンと、トング１とを連結する部材であり、アーム１５Ｂの端部に軸支される。クレーン連結部１９は、クレーンのフックが引っかけられる環部１７を備える。
【００３１】
接触板７間に煉瓦ブロック１００を配置した状態で、パンタグラフ１３を、クレーン等で上方に引っ張って伸ばすことにより、パンタグラフ１３のアーム１５Ａの下端１６Ａ間の距離が狭くなる。これにより、アーム１５Ａに接続された接触板７が、煉瓦ブロック１００と接触して挟み込んで把持する。この際、スライド部１８が筒状支持部１４内をスライドすることにより、接触板７の距離を変化させつつ、パンタグラフ１３の剛性を維持する。
トング１は、釣り上げられた状態では、自重で把持する構造であるが、自重ではなく、スライド部１８に油圧式や機械式の把持機構を備えてもよい。
パンタグラフ１３を下方に縮めることにより、パンタグラフ１３のアーム１５Ａの端部間の距離が広くなり、アーム１５Ａに接続された接触板７が煉瓦ブロック１００と離れ、把持が解除される。
【００３２】
ガイド部５は、接触板７の下面から下方に突出して設けられた少なくとも一対の突起である。ここでは、図１および図４に示すように、接触板７の長手方向両端近傍に２つずつ、２対設けられている。
【００３３】
図２および図３に示すように、ガイド部５は、接触板７の下面に設けられたＬ字状の支持板２１を介して、接触板７に固定される。
支持板２１は、折れ線２８を境に設けられた固定板２２と、突出板２３を備える。固定板２２は、折れ線２８が接触板７の長手方向に直交するように、接触板７の下面に溶接等で固定されている。突出板２３は、接触板７から下方に突出している。
【００３４】
固定板２２は、図５に示すように、脱着機構としてのボルト２７で脱着可能に接触板７の下面に固定されるのが好ましい。理由は以下の通りである。
トング１は、煉瓦ブロック１００の据付に使用していない期間は、コークス炉の建設現場に仮置する必要がある。この際、ガイド部５を接触板７に取り付けた状態で仮置きすると、トング１を４つのガイド部５で支える、４点支持の置き方となる。コークス炉の建設現場は、常に煉瓦構造体が積み上がっていくため、足元が不安定であることが多く、トング１を支える面は、なるべく広い方が好ましい場合がある。そこで、ガイド部５を脱着可能にすることで、仮置きの際にガイド部５を取り外せば、トング１を接触板７の下面全体で支える置き方にできる。
【００３５】
ガイド部５は支持板２１の突出板２３に、ボルト２５およびナット２６で固定される。
図２に示すように、ガイド部５は、炉長方向（Ｙ方向）から見て、互いに対向する対向面５Ａが、下方に行くに従い、互いに距離が離れるようなテーパ形状を有する。これは、位置決めの際に既設煉瓦と接触した際にガイドしやすくするためである。
炉長方向（Ｙ方向）から見たガイド部５の上端間の間隔Ｌは、接触板７間の距離と同程度である。そのため、接触板７が既設煉瓦を把持すると、ガイド部５の上端間の間隔Ｌは既設煉瓦１０３の炉団長方向厚さＬ0（図９参照）と同じか、若干長くなる。
図４では、１対のガイド部５は、炉長方向（Ｙ方向）の位置が同じであり、Ｘ方向に対向している。ただし、Ｙ方向の位置は、必ずしも同じ位置である必要はなく、炉長方向（Ｙ方向）から見て、互いに対向していればよい。
【００３６】
トング１は、ガイド部５を炉団長方向（Ｘ方向）に位置決め可能な構造であるのが好ましい。理由は以下の通りである。
煉瓦ブロック１００を据え付ける際に、既設煉瓦とガイド部５の間には、１〜２ｍｍ程度の隙間が生じる。この隙間によって、煉瓦ブロック１００が本来据え付けたい位置から炉団長方向にずれる可能性がある。１〜２ｍｍ程度のずれであれば、許容範囲内ではあるが、２段、３段と煉瓦ブロック１００を積み重ねると、ずれの累積が許容値を超える可能性もある。そのため、位置決め可能な構造を設けて、ずれの累積が許容値を超えないようにするのが好ましい。
【００３７】
このような構造としては、例えば、図６に示すような、押し引きネジを用いた位置決め機構４１、およびガイド部５をＸ方向に移動可能に把持部３に保持する、保持機構５１を有するものが好ましい。
具体的には、図６に示すトング１は、位置決め機構４１を備える。
位置決め機構４１は、ネジブロック４３、押し引きネジ４５、引き用ボルト４７を備える。
【００３８】
ネジブロック４３は押し引きネジ４５を保持するブロックであり、接触板７に固定される。ネジブロック４３は、押し引きネジ４５が螺合する図示しない孔を有する。
押し引きネジ４５はガイド部５をＸ方向に押し引きするネジであり、引き用ボルト４７およびネジブロック４３に螺合する。回転する向きと角度によって、ガイド部５を押し引きする向きおよび移動量を調整する。
引き用ボルト４７は、ガイド部５を押し引きネジ４５が引っ張る場合に、押し引きネジ４５と係合するボルトであり、ガイド部５に固定される。
【００３９】
保持機構５１は、固定板２２およびボルト５５を有する。
固定板２２には長孔５３が設けられる。長孔５３は長手方向がＸ方向に平行である。長孔５３の長手方向の長さは、ガイド部５の移動量に応じて決定される。幅方向（長手方向に直交する方向）の長さは、ボルト５５のネジ部の直径より大きく、頭部の最小径より小さい。
ボルト５５は、把持部３の接触板７にガイド部５を保持させるボルトであり、長孔５３を挿通して接触板７に螺合する。
【００４０】
ガイド部５の位置決めは、以下のように行われる。
まず、保持機構５１のボルト５５を緩める。
次に、位置決め機構４１の押し引きネジ４５を回転させて、ガイド部５をＸ方向の所望の位置に移動させる。
最後に、ボルト５５を締め、移動した位置にガイド部５を固定する。
【００４１】
ガイド部５の材料は、位置決めの際に既設煉瓦と接触しても損傷せず、かつ既設煉瓦を損傷させない材料であるのが望ましい。このような材料としては、ゴムが挙げられるが、ゴムには限定されない。
以上がトング１の構造の説明である。
【００４２】
次に、図７〜図１１を参照して、本発明の第１の実施形態に係るコークス炉の築造方法について、説明する。
第１の実施形態では、複数の煉瓦をプレハブ構造で構築した煉瓦ブロックを用いて、コークス炉の蓄熱室のピラーウォールの一部を構築する方法を例にして説明する。ただし、本発明は、プレハブ構造を用いた場合に限定されず、蓄熱室のピラーウォールの構築方法にも限定されない。
【００４３】
まず、図７に示すように、構築すべきコークス炉の一部である煉瓦ブロック１００を、予め構築しておく。
【００４４】
ピラーウォールの構築に用いられる煉瓦ブロック１００は、図７に示すように、複数の煉瓦を多段に積み重ねたプレハブ構造である。
煉瓦ブロック１００は、炉団長方向の長さＬXが、ピラーウォールの幅と同じであることが望ましい。炉長方向の長さＬYは、ピラーウォールの炉長未満である。ＬYは、好ましくは２〜５ｍである。炉高方向の高さＬZもピラーウォールの炉高未満であり、複数の煉瓦ブロック１００を積み重ねてピラーウォールを構築する。ＬZは、好ましくは煉瓦を３〜１０段重ねた程度の高さである。
【００４５】
煉瓦ブロック１００の構築場所は、コークス炉の構築場所である必要はない。他の場所で構築したものを、コークス炉の構築場所まで搬送してもよい。
【００４６】
次に、塗布工程として、図８に示すように、既設煉瓦１０３のうち、これから煉瓦ブロック１００を積み重ねる部分にモルタル９１を塗布する。モルタル９１は目標とする目地厚よりも厚く塗布する。これは、揉み出し作業でモルタル９１の一部が排出されるためである。既設煉瓦１０３は、複数の耐火物としての煉瓦を積み重ねた構造体であって、既に構築済の構造である。
【００４７】
また、図示しないスペーサ等を既設煉瓦１０３に設置する。スペーサの厚さは、目地厚と同程度である。
【００４８】
次に、図９に示すように、この煉瓦ブロック１００の側面、具体的には法線方向が炉団長方向に平行な壁面を、両面からトング１で挟み込む。この際、煉瓦ブロック１００の下端と接触板７の下端が、炉高方向で同一の位置になるようにする。
次に、煉瓦ブロック１００をクレーン２００で吊り上げて、既設煉瓦１０３の上方に移動させる。
この状態では、炉長方向から見た一対のガイド部５の上端間の間隔Ｌが、煉瓦ブロック１００の炉団長方向の長さＬxに等しく、したがって、既設煉瓦１０３の炉団長方向厚さＬ0と同程度になる。
【００４９】
次に、設置工程として、図１０に示すように、煉瓦ブロック１００を図９の状態から下降させてモルタル９１に接触させ、既設煉瓦１０３上に設置する。
この際、煉瓦ブロック１００と既設煉瓦１０３の、炉団長方向の位置がずれていた場合でも、既設煉瓦１０３の壁面がガイド部５の対向面５Ａに接触して、トング１ごと煉瓦ブロック１００が炉団長方向にガイドされる。よって、煉瓦ブロック１００が大型化しても、据付精度に個人差が生じ難い。
【００５０】
次に、揉み出し作業を行う。具体的には、図１１に示すように、煉瓦ブロック１００を炉長方向に往復移動させて、スペーサに接触するまで余分なモルタル９１を排出する。
【００５１】
この際、煉瓦ブロック１００が炉団長方向に移動しようとしても、既設煉瓦１０３が、ガイド部５に接触してトング１の移動が規制されるため、煉瓦ブロック１００の移動も規制される。
よって、揉み出し作業時も、炉団長方向に煉瓦ブロック１００の位置ずれが生じ難く、煉瓦ブロック１００の据付精度に個人差が生じ難い。
【００５２】
煉瓦ブロック１００がスペーサに接触すると、炉長方向の位置決めを行い、揉み出しを終了する。
最後に、煉瓦ブロック１００が位置ずれを生じない程度に、モルタル９１が硬化するまで放置し、硬化した後に、トング１を煉瓦ブロック１００から取り外す。
以上がコークス炉の築造方法の説明である。
【００５３】
このように、本実施形態によれば、煉瓦ブロック１００をトング１で挟んで持ち上げてから、トング１から突出した一対のガイド部５の間に、既設煉瓦１０３が位置するように位置決めをする。
そのため、煉瓦ブロック１００をトング１に挟んで、既設煉瓦１０３の上方に配置して下降させれば、ガイド部５によって、トング１ごと煉瓦ブロック１００が炉団長方向にガイドされる。
よって、構築する煉瓦ブロック１００が大型化しても、据付精度に個人差が生じ難い。
【００５４】
次に、第２の実施形態について、図１２を参照して説明する。
第１の実施形態では、蓄熱室のピラーウォールの一部を構築する方法を例にして説明したが、本発明は、蓄熱室のピラーウォールの構築方法にも限定されないため、燃焼室を構築する工程についても簡単に説明する。
【００５５】
燃焼室を構築する場合、煉瓦ブロック１００Ａは図１２に示す構造を例示できる。
図１２では、煉瓦ブロック１００Ａは、１対の炉壁１０５と１対の燃焼フリュー隔壁１０７を備える。
【００５６】
炉壁１０５は、Ｙ方向（炉長方向）に沿って対向するように設けられた１対の壁であり、燃焼室における、炭化室との隔壁に該当する。
燃焼フリュー隔壁１０７は、一対の炉壁１０５の間を連結するように、Ｘ方向（炉団長方向）に沿って対向するように設けられた、隔壁であり、燃焼室における、燃焼フリュー間の隔壁に該当する。
【００５７】
一対の炉壁１０５および１対の燃焼フリュー隔壁１０７で囲まれた空間１０９は、燃焼室における、燃焼フリュー（小燃焼室）に該当する。
【００５８】
燃焼室の構築方法は、ピラーウォールの構築方法と同様であるため、詳細な説明を省略する。
構築方法の概要を述べると、まず既設煉瓦にモルタルを塗布し（塗布工程）、次にモルタル上に煉瓦ブロック１００Ａを設置する（設置工程）。
設置の際は、煉瓦ブロック１００Ａの炉壁１０５を、トング１で炉団長方向に挟んで持ち上げ、ガイド部５の間に既設煉瓦を挟むように位置合わせをする。
以上が第２の実施形態の説明である。
【００５９】
以上、実施形態に基づき本発明を説明したが、本発明は上記した実施形態に限定されない。当業者であれば、本発明の思想の範囲内において各種変形例および改良例に想到するのは当然のことであり、これらも本発明の範囲に含まれる。
例えば、上記した実施形態では、コークス炉の築造装置として、トング１を例示したが、築造装置は、煉瓦ブロック１００を把持して既設煉瓦に設置でき、かつガイド部５を備えるものであれば、トングには限定されず、クランプでもよい。
【符号の説明】
【００６０】
１      ：トング
３      ：把持部
５      ：ガイド部
５Ａ    ：対向面
７      ：接触板
９      ：支柱
１１    ：梁
１３    ：パンタグラフ
１４    ：筒状支持部
１５    ：下部リンク
１５Ａ  ：アーム
１５Ｂ  ：アーム
１６    ：上部リンク
１６Ａ  ：下端
１７    ：環部
１８    ：スライド部
１８Ａ  ：上端
１９    ：クレーン連結部
２１    ：支持板
２２    ：固定板
２３    ：突出板
２５    ：ボルト
２６    ：ナット
２７    ：ボルト
２８    ：折れ線
４１      ：位置決め機構
４３      ：ネジブロック
４５      ：押し引きネジ
４７      ：引き用ボルト
５１      ：保持機構
５３      ：長孔
５５      ：ボルト
９１    ：モルタル
１００  ：煉瓦ブロック
１００Ａ  ：煉瓦ブロック
１０３  ：既設煉瓦
１０５    ：炉壁
１０７    ：燃焼フリュー隔壁
１０９    ：空間
２００  ：クレーン
【図１】
2019163351.tif 000003
【図２】
2019163351.tif 000004
【図３】
2019163351.tif 000005
【図４】
2019163351.tif 000006
【図５】
2019163351.tif 000007
【図６】
2019163351.tif 000008
【図７】
2019163351.tif 000009
【図８】
2019163351.tif 000010
【図９】
2019163351.tif 000011
【図１０】
2019163351.tif 000012
【図１１】
2019163351.tif 000013
【図１２】
2019163351.tif 000014